(57)【要約】【課題】物品が正しい使用者によって使用されているかどうかを判別するための新しい枠組みを提供する。【解決手段】本発明の照合情報送信装置は、ユーザが着用する物品に取り付けられる装置であり、自装置の識別情報を記憶する手段と、前記ユーザの生体情報を読み取って該ユーザの人体を介して送信する生体情報送信装置から前記ユーザの人体を介して前記生体情報を受信する人体通信手段と、前記記憶手段に記憶した識別情報と前記受信した生体情報のセットを、前記照合情報送信装置の識別情報と該照合情報送信装置が取り付けられた物品の使用者の生体情報の組み合わせを記憶する装置へ照合可能に送信する手段と、を備える。【選択図】図２
2011086027.tif 000002
【特許請求の範囲】
【請求項１】
生体情報送信装置と、ユーザが着用する物品に取り付けられる照合情報送信装置と、該照合情報送信装置と通信可能に構成された物品使用者判別装置とを含む物品使用者判別システムであって、
前記生体情報送信装置は、
前記ユーザの生体情報を読み取る生体情報読み取り手段と、
前記読み取った生体情報を前記ユーザの人体を介して送信する人体通信手段と、
を備え、
前記照合情報送信装置は、
自装置の識別情報を記憶する手段と、
前記生体情報送信装置から前記ユーザの人体を介して前記生体情報を受信する人体通信手段と、
前記記憶手段から読み出した識別情報と前記受信した生体情報のセットを前記物品使用者判別装置へ照合可能に送信する手段と、
を備え、
前記物品使用者判別装置は、
前記照合情報送信装置の識別情報と該照合情報送信装置が取り付けられた物品の使用者の生体情報の組み合わせを記憶する手段と、
前記照合情報送信装置から、前記識別情報と生体情報のセットを受信する手段と、
前記受信した識別情報と生体情報のセットを、前記記憶手段に記憶した識別情報と生体情報の組み合わせと照合し、一致した場合に、前記物品が正しい使用者によって使用されていると判別する手段と、
を備える、ことを特徴とする物品使用者判別システム。
【請求項２】
前記物品使用者判別装置は、さらに、
物品ごとの使用期限を記憶する手段と、
前記正しい使用者によって使用されていると判別された物品について、前記使用期限が過ぎていないかどうかを判別し、使用期限が過ぎている場合に、警告メッセージを出力する手段と、
を備える、請求項１に記載の物品使用者判別システム。
【請求項３】
ユーザが使用している物品に取り付けられる照合情報送信装置であって、
自装置の識別情報を記憶する手段と、
前記ユーザによって保持され、該ユーザの生体情報を読み取って該ユーザの人体を介して送信する生体情報送信装置から前記ユーザの人体を介して前記生体情報を受信する人体通信手段と、
前記記憶手段に記憶した識別情報と前記受信した生体情報のセットを、前記照合情報送信装置の識別情報と該照合情報送信装置が取り付けられた物品の使用者の生体情報の組み合わせを記憶する装置へ照合可能に送信する手段と、
を備えることを特徴とする照合情報送信装置。
【請求項４】
生体情報送信装置と、ユーザが着用する物品に取り付けられる照合情報送信装置と、該照合情報送信装置と通信可能に構成された物品使用者判別装置とを用いて、前記物品が正しい使用者によって使用されているかどうかを判別する物品使用者判別方法であって、
前記生体情報送信装置が、前記ユーザの生体情報を読み取り、前記読み取った生体情報を前記ユーザの人体を介して送信し、
前記照合情報送信装置が、前記生体情報送信装置から前記ユーザの人体を介して前記生体情報を受信し、自装置の識別情報を記憶する手段から読み出した識別情報と前記受信した生体情報のセットを前記物品使用者判別装置へ照合可能に送信し、
前記物品使用者判別装置が、前記照合情報送信装置から、前記識別情報と生体情報のセットを受信し、前記受信した識別情報と生体情報のセットを、前記照合情報送信装置の識別情報と該照合情報送信装置が取り付けられた物品の使用者の生体情報の組み合わせを記憶する手段に記憶した識別情報と生体情報の組み合わせと照合し、一致した場合に、前記物品が正しい使用者によって使用されていると判別する、
ことを特徴とする物品使用者判別方法。
【発明の詳細な説明】
【技術分野】
【０００１】
本発明は、生体認証技術に関する。
【背景技術】
【０００２】
工事現場や作業現場等では、作業員が他人の産業用保護帽（作業用ヘルメット）や作業着を誤って使用すると、サイズが合わないなどの理由から事故を招いたり、衛生面においても良くないため、各作業者が他人の保護帽等の物品を着用しないように、物品使用者を管理する必要がある。
【０００３】
例えば、物品使用者の管理を人手で行うことによるミスの発生や工数の増加を防ぐために、物品の貸し出しや配布の際等において、該物品に、使用者となる者の情報（ユーザＩＤなど）を予め記録したＲＦＩＤ(Radio Frequency identification)タグを取り付け、物品に取り付けたＲＦＩＤタグのＩＤと使用者のユーザＩＤなどを関連付けてセンターで管理するなどして、物品使用者を管理する方法がある。
【０００４】
一方、ＲＦＩＤタグと生体情報を利用する例として、下記特許文献１には、サービスを利用しようとする者が所有するＩＣタグのＩＤと生体情報とを読み取り、該生体情報に基づいて認証に成功したことを条件に、ICタグのIDを有効化し、それ以後、そのＩＣタグをリーダにかざすことでサービスを利用可能とする技術が開示されている。
【先行技術文献】
【特許文献】
【０００５】
【特許文献１】特開２００８−１４６３２４号公報
【発明の概要】
【発明が解決しようとする課題】
【０００６】
上記のようにＲＦＩＤタグを用いて物品使用者を管理する場合、例えばＲＦＩＤタグのＩＤを読み取るためのゲートを設置して、物品に取り付けられているＲＦＩＤタグのＩＤを読み取るとともに、物品使用者からユーザＩＤ等の入力を受け付けるなどして、各物品が正しい使用者によって使用されているかどうかを判別することが考えられる。
【０００７】
しかし、複数人が同時にゲート内に進入し、各人が使用している物品に取り付けられているＲＦＩＤタグのＩＤがそれぞれ読み取られ、各人からユーザＩＤ等の入力を受け付けた場合、どのＲＦＩＤタグのＩＤとユーザＩＤが対になっているのか、すなわち誰がどの物品を使用しているのかがわからないため、各物品が正しい使用者によって使用されているかどうかを判別することができない。
【０００８】
なお、上記特許文献１に記載の技術は、ＩＣタグが一旦有効化されてしまえば、そのICタグを他人が使用できるため、物品にＩＣタグを取り付けたとしても、該物品が正しい使用者によって使用されているかどうかを判別することはできない。
【０００９】
かかる課題に鑑み、本発明は、物品が正しい使用者によって使用されているかどうかを判別するための新しい枠組みを提供することを目的とする。
【課題を解決するための手段】
【００１０】
本発明の物品使用者判別システムは、生体情報送信装置と、ユーザが着用する物品に取り付けられる照合情報送信装置と、該照合情報送信装置と通信可能に構成された物品使用者判別装置とを含む物品使用者判別システムであって、前記生体情報送信装置は、前記ユーザの生体情報を読み取る生体情報読み取り手段と、前記読み取った生体情報を前記ユーザの人体を介して送信する人体通信手段と、を備え、前記照合情報送信装置は、自装置の識別情報を記憶する手段と、前記生体情報送信装置から前記ユーザの人体を介して前記生体情報を受信する人体通信手段と、前記記憶手段から読み出した識別情報と前記受信した生体情報のセットを前記物品使用者判別装置へ照合可能に送信する手段と、を備え、前記物品使用者判別装置は、前記照合情報送信装置の識別情報と該照合情報送信装置が取り付けられた物品の使用者の生体情報の組み合わせを記憶する手段と、前記照合情報送信装置から、前記識別情報と生体情報のセットを受信する手段と、前記受信した識別情報と生体情報のセットを、前記記憶手段に記憶した識別情報と生体情報の組み合わせと照合し、一致した場合に、前記物品が正しい使用者によって使用されていると判別する手段と、を備える、ことを特徴とする。
【００１１】
本発明の実施態様では、前記物品使用者判別装置は、さらに、物品ごとの使用期限を記憶する手段と、前記正しい使用者によって使用されていると判別された物品について、前記使用期限が過ぎていないかどうかを判別し、使用期限が過ぎている場合に、警告メッセージを出力する手段と、を備えていてもよい。
【００１２】
本発明の照合情報送信装置は、ユーザが使用している物品に取り付けられる照合情報送信装置であって、自装置の識別情報を記憶する手段と、前記ユーザによって保持され、該ユーザの生体情報を読み取って該ユーザの人体を介して送信する生体情報送信装置から前記ユーザの人体を介して前記生体情報を受信する人体通信手段と、前記記憶手段に記憶した識別情報と前記受信した生体情報のセットを、前記照合情報送信装置の識別情報と該照合情報送信装置が取り付けられた物品の使用者の生体情報の組み合わせを記憶する装置へ照合可能に送信する手段と、を備えることを特徴とする。
【００１３】
本発明の物品使用者判別方法は、生体情報送信装置と、ユーザが着用する物品に取り付けられる照合情報送信装置と、該照合情報送信装置と通信可能に構成された物品使用者判別装置とを用いて、前記物品が正しい使用者によって使用されているかどうかを判別する物品使用者判別方法であって、前記生体情報送信装置が、前記ユーザの生体情報を読み取り、前記読み取った生体情報を前記ユーザの人体を介して送信し、前記照合情報送信装置が、前記生体情報送信装置から前記ユーザの人体を介して前記生体情報を受信し、自装置の識別情報を記憶する手段から読み出した識別情報と前記受信した生体情報のセットを前記物品使用者判別装置へ照合可能に送信し、前記物品使用者判別装置が、前記照合情報送信装置から、前記識別情報と生体情報のセットを受信し、前記受信した識別情報と生体情報のセットを、前記照合情報送信装置の識別情報と該照合情報送信装置が取り付けられた物品の使用者の生体情報の組み合わせを記憶する手段に記憶した識別情報と生体情報の組み合わせと照合し、一致した場合に、前記物品が正しい使用者によって使用されていると判別する、ことを特徴とする。
【００１４】
なお、本発明において、手段とは、単に物理的手段を意味するものではなく、その手段が有する機能をソフトウェアによって実現する場合も含む。また、１つの手段や装置が有する機能が２つ以上の物理的手段や装置により実現されても、２つ以上の手段や装置の機能が１つの物理的手段や装置により実現されても良い。
【発明の効果】
【００１５】
本発明によれば、生体情報送信装置が、ユーザの生体情報を該ユーザの人体を介して送信し、該ユーザが着用する物品に取り付けられた照合情報送信装置が、かかる生体情報を該ユーザの人体を介して受信し、自装置の識別情報とセットにして送信するので、物品と該物品の使用者（詳細には該使用者の生体情報）との組み合わせを正確に捉えることができる。これにより、複数のユーザが存在する場合でも、各物品が正しい使用者によって使用されているかどうかを判別することができる。
【図面の簡単な説明】
【００１６】
【図１】第１実施形態の物品使用者判別システムの全体構成を示す図である。
【図２】生体情報送信装置の構成を示す図である。
【図３】照合情報送信装置の構成を示す図である。
【図４】物品使用者判別装置の構成を示す図である。
【図５】タグ情報テーブルのデータ構成を示す図である。
【図６】指紋情報テーブルのデータ構成を示す図である。
【図７】使用者チェックテーブルのデータ構成を示す図である。
【図８】受信データテーブルのデータ構成を示す図である。
【図９】物品使用者判別装置による物品使用者判別処理のフローチャートである。
【図１０】物品使用者判別装置による物品使用者判別処理のフローチャートである。
【図１１】物品使用者判別装置による物品使用者判別処理のフローチャートである。
【図１２】物品使用者判別装置による物品使用者判別処理のフローチャートである。
【図１３】生体情報送信装置が実行する処理のフローチャートである。
【図１４】照合情報送信装置が実行する処理のフローチャートである。
【図１５】タグ情報テーブルのデータ構成の変形例を示す図。
【図１６】物品使用期限判別処理のフローチャートである。
【図１７】生体情報送信装置の構成の変形例を示す図。
【発明を実施するための形態】
【００１７】
以下、本発明の実施形態を、図面を参照して説明する。
【００１８】
図１は、工場等の通路に構築される、第１実施形態の物品使用者判別システム１０１の全体構成を示す。
【００１９】
物品使用者判別システム１０１は、例えば、作業着や保護帽等の物品が、該物品の使用者として登録された作業者（登録使用者）によって着用されているかどうかを判別するためのシステムである。
【００２０】
かかる枠組みを実現するために、物品使用者判別システム１０１は、使用時に作業者１０３によって保持され、該作業者１０３から読み取った生体情報（例えば、指紋データなど）を人体通信によって送信する機能を有する生体情報送信装置（例えば、カード状の社員証など）１０５と、該生体情報送信装置１０５と人体通信可能に構成され、作業者１０３が着用する作業着１０７及び保護帽１０９にそれぞれ取り付けて使用される照合情報送信装置１１１ａ，１１１ｂと、読み取りゲート１１３を介して生体情報送信装置１０５及び照合情報送信装置１１１ａ，１１１ｂと近距離通信可能に構成されるとともに、生体情報送信装置１０５と無線ＬＡＮ通信可能に構成された物品使用者判別装置１１５と、物品使用者判別装置１１５の出力結果を表示するモニタ１１７とを含んで構成される。
【００２１】
なお、第１実施形態の物品使用者判別システム１では、作業者１０３によって保持される生体情報送信装置１０５、並びに作業者１０３が着用する作業着１０７及び保護帽１０９にそれぞれ取り付けられる照合情報送信装置１１１ａ，１１１ｂは、読み取りゲート１１３からの要求に応じて所定の情報を送信するように設計されたＲＦＩＤ（Radio Frequency IDentification）タグを用いて構成される。
【００２２】
また、読み取りゲート１１３は、これらＲＦＩＤタグとの間で通信を行うＲＦＩＤリーダライタとしての機能を有しており、生体情報送信装置１０５を保持し、照合情報送信装置１１１ａ，１１１ｂが取り付けられた作業着１０７及び保護帽１０９を着用する作業者１０３が読み取りゲート１１３内に進入すると、生体情報送信装置１０５及び照合情報送信装置１１１ａ，１１１ｂと読み取りゲート１１３との間で通信が可能となる。
【００２３】
以下、生体情報送信装置１０５、照合情報送信装置１１１ａ，１１１ｂ、及び物品使用者判別装置１１５の詳細な構成について説明する。
【００２４】
図２は、生体情報送信装置１０５の構成を示す。
【００２５】
生体情報送信装置１０５は、ＲＦＩＤタグ２０１及び生体情報処理部２０２を含んで構成される。
【００２６】
ＲＦＩＤタグ２０１は、アンテナ２１１、タグＩＤ記憶部２２１、及びＲＦ通信制御部２２３を備える。なお、タグＩＤ記憶部２２１及びＲＦ通信制御部２２３は、従来のＲＦＩＤタグと同様に例えばＩＣで構成される。
【００２７】
記憶部２１３は、生体情報送信装置１０５に予め割り当てられた識別情報（タグＩＤ）を記憶する。
【００２８】
ＲＦ通信制御部２１３は、アンテナ２１１を介して読み取りゲート１１３から情報を送信すべき旨の要求（情報送信要求）を受信した場合に、該要求に応じて、タグＩＤ記憶部２２１からタグＩＤを読み出し、アンテナ２１１を介して送信する。
【００２９】
生体情報処理部２０２は、指紋リーダ２０３、人体通信装置２０５、無線ＬＡＮ通信装置２０７、及び指紋リーダ制御部２０９を含んで構成される。なお、指紋リーダ制御部２０９は、例えばＩＣで構成される。
【００３０】
指紋リーダ２０３は、作業者１０３がセンサ部に触れた（例えば、指の腹を乗せた）ことを検知して、生体情報としての指紋データを読み取る手段である。なお、指紋リーダ２０３は、周知の技術を用いて構成することができる。
【００３１】
人体通信装置２０５は、作業者１０３の身体を導体として人体通信（Body Area Network）を行う手段であり、指紋リーダ２０３により読み取った作業者１０３の生体情報としての指紋データを、作業者１０３自身の身体を介し、照合情報送信装置１１１ａ，１１１ｂに備えられた後述の人体通信装置３０１へ送信する機能を有する。なお、人体通信装置２０５は、人体通信に関する周知の技術を用いて構成することができる。
【００３２】
無線ＬＡＮ通信装置２０７は、無線ＬＡＮ通信を行うための装置であり、周知の技術を用いて構成することができる。
【００３３】
指紋リーダ制御部２０９は、無線ＬＡＮ通信装置２０７が物品使用者判別装置１１５から受信した指紋リーダ２０３を制御するための信号に基づき、指紋リーダ２０３の電源のＯＮとＯＦＦを切り替える（例えば、電池からの電力供給の開始と停止を切り替える）などして、指紋リーダ２０３を有効化し（指紋データを取得可能な状態にし）又は無効化する。また、指紋リーダ２０３が読み取った指紋データを取得し、人体通信装置２０５を介して、照合情報送信装置１１１ａ，１１１ｂへ送信する。
【００３４】
図３は、照合情報送信装置１１１ａの構成を示す。
【００３５】
照合情報送信装置１１１ａは、人体通信装置３０１及びＲＦＩＤタグ３０３を含んで構成される。
【００３６】
人体通信装置３０１は、人体通信によって、生体情報送信装置１０５から作業者１０３の指紋データを受信する。なお、人体通信装置３０１は、生体情報送信装置１０５の人体通信装置２０５と同様に、人体通信に関する周知の技術を用いて構成することができる。
【００３７】
ＲＦＩＤタグ３０３は、アンテナ３１１、記憶部３１３、及びＲＦ通信制御部３１５を含む。なお、記憶部３１３及びＲＦ通信制御部３１５は、原則として従来のＲＦＩＤタグと同様に例えばＩＣで構成される。ただし、指紋データを記憶部３１３内の所定の記憶領域に書き込んだり、該記憶領域から読み出して送信したり、該記憶領域から指紋データを消去することができるように構成されている。また、ＲＦＩＤタグ３０３は、必要に応じて人体通信装置３０１が備える電源（電池など）を共用するように構成してもよいし、専用の電源を備えていてもよい。
【００３８】
記憶部３１３は、タグＩＤ記憶領域３２１及び指紋データ記憶領域３２３を含む。
【００３９】
タグＩＤ記憶領域３２１は、照合情報送信装置１１１ａに予め割り当てられた識別情報（タグＩＤ）を記憶する。
【００４０】
指紋データ記憶領域３２３は、人体通信装置３０１が生体情報送信装置１０５から受信した指紋データを記憶する。
【００４１】
ＲＦ通信制御部３１５は、指紋データ取得手段３３１、照合情報送信手段３３３、及び指紋データ消去手段３３５を含んで構成される。
【００４２】
指紋データ取得手段３３１は、人体通信装置３０１が受信した指紋データ、すなわち自装置（照合情報送信装置１１１ａ）が取り付けられた作業着１０７を着用している作業者１０３が保持している生体情報送信装置１０５から送信される指紋データを取得し、記憶部３１３の指紋データ記憶領域３２３に格納する。なお、人体通信装置３０１が、指紋データ取得手段３３１を介さずに、指紋データを指紋データ記憶領域３２３へ直接的に格納するように構成してもよい。
【００４３】
照合情報送信手段３３３は、アンテナ３１１を介して物品使用者判別装置１１５及び読み取りゲート１１３から情報送信要求を受信した場合に、該要求に応じて、タグＩＤ記憶領域３２１及び指紋データ記憶領域３２３から自装置（照合情報送信装置１１１ａ）のタグＩＤ及び指紋データをそれぞれ読み出し、該読み出したタグＩＤと指紋データのセット（照合情報）を、アンテナ３１１及び読み取りゲート１１３を介して物品使用者判別装置１１５へ照合可能に送信する。なお、読み取りゲート１１３からの要求を受信した際に、指紋データ記憶領域３２３に指紋データが格納されていない場合は、タグＩＤ記憶領域３２１から読み出したタグＩＤのみを照合情報として送信する。
【００４４】
指紋データ消去手段３３５は、読み取りゲート１１３及びアンテナ３１１を介して物品使用者判別装置１１５から指紋データの消去要求を受信した場合に、該要求に応じて、指紋データ記憶領域３２３に格納されている指紋データを消去する。これにより、指紋データの悪用を防ぎ、個人情報保護及びセキュリティ強化を図ることができる。なお、物品使用者判別装置１１５が送信する消去要求には、例えば、送信先を特定する識別情報（例えば、タグＩＤなど）が付与されており、指紋データ消去手段３３５は、受信した消去要求に含まれる識別情報が自装置（照合情報送信装置１０５）に対応することを条件に、該制御信号に基づいて指紋データを消去する。
【００４５】
なお、保護帽１０９に取り付けて使用される照合情報送信装置１１１ｂについても同様に構成することができる。
【００４６】
図４は、物品使用者判別装置１１５の構成を示す。
【００４７】
物品使用者判別装置１１５は、記憶部４０１、制御部４０３、及び無線ＬＡＮ通信装置４０５を含んで構成される。なお、物品使用者判別装置１１５は、記憶装置（ハードディスクやＲＡＭなど）、及びプロセッサ等を備える一般的なパソコンを用いて構成することができる。
【００４８】
記憶部４０１は、記憶装置（例えば、ハードディスクなど）を用いて機能的に実現される手段であり、詳細には、登録データ記憶領域４１１及び受信データ記憶領域４１３を含む。
【００４９】
登録データ記憶領域４１１は、タグ情報テーブル、指紋情報テーブル、及び使用者チェックテーブルを記憶する。以下、各テーブルのデータ構成について説明する。
【００５０】
図５は、タグ情報テーブルのデータ構成を示す。
【００５１】
タグ情報テーブルは、生体情報送信装置１０５及び照合情報送信装置１１１ａ，１１１ｂごとに予め割り当てられたタグＩＤと、生体情報送信装置１０５の名称及び照合情報送信装置１１１ａ，１１１ｂが取り付けられる物品の名称と、該物品の種類と、該物品の使用者として予め決められた作業者（登録使用者）の識別情報とを対応付けて記憶する。
【００５２】
図６は、指紋情報テーブルのデータ構成を示す。
【００５３】
指紋情報テーブルは、作業者の識別情報と、該作業者の生体情報として予め取得した指紋データとを対応付けて記憶する。
【００５４】
物品使用者判別装置１１５は、タグ情報テーブルと指紋情報テーブルとを関連させることで、物品の識別情報（詳細には、各物品に取り付けられた照合情報送信装置１１１のタグＩＤ）と生体情報（指紋データ）の組み合わせを、物品と該物品の登録使用者の組み合わせを示す情報として記憶する。
【００５５】
図７は、使用者チェックテーブルのデータ構成を示す。
【００５６】
使用者チェックテーブルは、作業者の識別情報と、該作業者が使用している物品が本人の物であるかどうかを示すフラグ（ここでは、保護帽Ｆｌａｇ及び作業着Ｆｌａｇ）と、生体情報送信装置１０５からタグＩＤを受信したかどうかを示すフラグ（存在Ｆｌａｇ）とを対応付けて記憶する。なお、各Ｆｌａｇの初期設定値は"ＯＦＦ"とする。
【００５７】
受信データ記憶領域４１３は、受信データテーブルを記憶する。
【００５８】
図８は、受信データテーブルのデータ構成を示す。
【００５９】
受信データテーブルは、読み取りゲート１１３が受信したタグ情報（生体情報送信装置１０５からのタグＩＤ及び照合情報送信装置１１１ａ，１１１ｂからの照合情報）を記憶する。なお、照合情報送信装置１１１ａ，１１１ｂから受信した照合情報が指紋データを含んでいない場合は、タグＩＤのみ記憶する。
【００６０】
制御部４０３は、記憶装置（例えば、ハードディスクなど）に格納されたプログラムをプロセッサが読み出して実行することにより機能的に実現される手段であり、詳細には、読み取りデータ取得手段４２１、指紋リーダ遠隔制御手段４２３、物品使用者判別手段４２５、指紋データ消去要求手段４２７、及び判別結果出力手段４２９を含んで構成される。
【００６１】
読み取りデータ取得手段４２１は、読み取りゲート１１３が所定の時間間隔（例えば、１秒間隔）で、読み取りゲート１１３内に存在する生体情報送信装置１０５及び照合情報送信装置１１１ａ，１１１ｂに対して情報の送信を要求するように、且つ該要求に対する応答情報（生体情報送信装置１０５からのタグＩＤや照合情報送信装置１１１ａ，１１１ｂからの照合情報）を受信するように読み取りゲート１１３を制御する。また、読み取りゲート１１３が受信したタグ情報を取得し、受信データ記憶領域４１３の受信データテーブルに格納する。
【００６２】
指紋リーダ遠隔制御手段４２３は、読み取りゲート１１３内に存在する作業者１０３が保持している生体情報送信装置１０５に対し、指紋リーダ２０３の電源のＯＮ／ＯＦＦ（例えば、電池からの電力供給の開始又は停止）を切り替えるための制御信号を送信する。例えば、第１実施形態では、読み取りデータ取得手段４２１が生体情報送信装置１０５からのタグＩＤを新たに受信した場合、作業者１０３が読み取りゲート１１３内に進入したと判断できるため、該作業者１０３の指紋データを読み取るために、指紋リーダ２０３の電源をＯＮにする（例えば、電池からの電力供給を開始する）ための制御信号（ＯＮ信号）を無線ＬＡＮを介して送信する。また、読み取りデータ取得手段４２１が生体情報送信装置１０５からのタグＩＤを受信できなくなった場合、該生体情報送信装置１０５を保持している作業者１０３が読み取りゲート１１３内に存在しなくなったということを示すため、かかる生体情報送信装置１０５に備えられた指紋リーダ２０３の電源をＯＦＦにする（例えば、電池からの電力供給を停止する）ための制御信号（ＯＦＦ信号）を無線ＬＡＮを介して送信する。
【００６３】
物品使用者判別手段４２５は、照合情報送信装置１１１ａ，１１１ｂから受信して受信データテーブル（図８）に格納された照合情報（タグＩＤと指紋データのセット）を、登録データ記憶領域４１１に格納されているタグ情報テーブル及び指紋情報テーブルから読み出した情報、すなわち登録済みのタグＩＤと指紋データの組み合わせと照合し、一致した場合には、照合情報中のタグＩＤに対応する物品が登録使用者によって使用されていると判別し、一致しない場合には、該物品が登録使用者以外の者によって使用されていると判別する。
【００６４】
指紋データ消去要求手段４２７は、読み取りデータ取得手段４２１が照合情報送信装置１１１ａ（又は１１１ｂ）からの指紋データを含む照合情報の受信が完了した場合に、該照合情報送信装置１１１ａ（又は１１１ｂ）に対し、指紋データ記憶領域３２３（図３）に格納されている指紋データが消去されるように、該指紋データの消去要求を、読み取りゲート１１３を介して送信する。
【００６５】
判別結果出力手段４２９は、物品使用者判別手段４２５による判別処理の結果を表示可能にモニタ１１７へ送信する。
【００６６】
無線ＬＡＮ通信装置４０５は、無線ＬＡＮ通信を行うための装置であり、生体情報送信装置１０５が備える無線ＬＡＮ通信装置２０７と同様に周知の技術を用いて構成することができる。
【００６７】
以下、図９〜１４を参照して、本実施形態において実現される枠組みを説明する。
【００６８】
図９〜１２は、物品使用者判別装置１１５による物品使用者判別処理のフローチャートを示し、図１３は、生体情報送信装置１０５による処理のフローチャートを示し、図１４は、照合情報送信装置１１１ａ，１１１ｂによる処理のフローチャートを示す。
【００６９】
まず、物品使用者判別装置１１５の読み取りデータ取得手段４２１は、物品使用者判別装置１１５に接続された読み取りゲート１１３から、出現のタグ情報又は消失のタグ情報を取得するまで待機する（ステップ６０１）。
【００７０】
具体的には、読み取りゲート１１３は、読み取りデータ取得手段４２１によって制御され、１秒間隔で情報送信要求を送信する。そして、かかる情報送信要求に対してＲＦＩＤタグからタグ情報の応答があった場合には、出現のタグ情報として読み取りデータ取得手段４２１へ渡し、直前の読み取りの際にはタグ情報の応答があったＲＦＩＤタグからの応答が無くなった場合には、かかるＲＦＩＤタグが読み取りエリアから消失したと考えられるため、該タグの情報（例えば、タグＩＤなど）を消失のタグ情報として読み取りデータ取得手段４２１へ渡すものとする。
【００７１】
次に、読み取りデータ取得手段４２１は、ステップ６０１で読み取りゲート１１３から出現のタグ情報を取得したかどうかを判断する（ステップ６０２）。
【００７２】
出現のタグ情報を取得した場合、読み取りデータ取得手段４２１は、取得したすべての出現タグ情報を解析し、それぞれのタグ情報に含まれるタグＩＤを抽出する（ステップ６０３）する。なお、指紋データが含まれている場合は、指紋データも抽出する。
【００７３】
そして、読み取りデータ取得手段４２１は、各タグ情報から抽出したタグＩＤを順次参照し、以下のステップ６０４〜６１０の処理を実行する。
【００７４】
まず、タグ情報から抽出したタグＩＤが受信データテーブル（図８）に存在するかどうかを判断し（ステップ６０４）、存在しない場合は、該タグ情報を受信データ記憶領域４１３内の受信データテーブルに格納する（ステップ６０５）。
【００７５】
一方、タグ情報から抽出したタグＩＤが受信データテーブル（図８）に存在する場合、かかるタグ情報に指紋データが含まれているかどうかを判断し（ステップ６０５）、指紋データが含まれている場合には、受信データテーブル内で該タグＩＤに対応付けて格納されている指紋データと異なるかどうかを判断する（ステップ６０６）。
【００７６】
タグ情報から抽出した指紋データと、該タグ情報に含まれるタグＩＤに対応付けて受信データテーブルに格納済みの指紋データとが異なる場合（ステップ６０７の判断がＹｅｓの場合）、読み取りデータ取得手段４２１は、タグ情報から抽出した指紋データを、該タグ情報から抽出したタグＩＤに対応付けて受信データテーブルに格納する（ステップ６０８）。なお、受信データテーブルに指紋データが格納されていない場合は、両指紋データが異なる場合に相当するものとする。
【００７７】
また、読み取りデータ取得手段４２１は、参照中のタグＩＤに対応する照合情報送信装置１１１ａ（又は１１１ｂ）へ、指紋データの消去要求を読み取りゲート１１３を介して送信する（ステップ６０９）。この場合、指紋データの消去要求には、送信先を示すタグＩＤを識別情報として付加する。
【００７８】
読み取りデータ取得手段４２１は、ステップ６０５の処理が完了した場合、ステップ６０６の判断がＮｏの場合、ステップ６０７の判断がＮｏの場合、又はステップ６０９の処理が完了した場合には、ステップ６０３で解析した全ての出現のタグ情報について、ステップ６０４以降の処理が完了したかどうかを判断し（ステップ６１０）、完了していない場合は、残りのタグ情報についてステップ６０４以降の処理を繰り返す。
【００７９】
ステップ６０３で解析した全ての出現のタグ情報について、ステップ６０４以降の処理が完了した場合（ステップ６１０の判断がＹｅｓの場合）には、図１０のフローへ進み、読み取りデータ取得手段４２１は、消失したタグがあるかどうかを判断する（ステップ６１１）。
【００８０】
消失したタグがある場合（ステップ６０２の判断がＮｏの場合又はステップ６１１の判断がＹｅｓの場合）、読み取りデータ取得手段４２１は、消失のタグ情報に関する受信データテーブル内のデータ（タグＩＤの欄と指紋データの欄のデータ）を順次参照し、消失したすべてのタグについて、かかる受信データテーブル内のデータクリア処理を実行する（ステップ６１２，６１３）。
【００８１】
消失したタグがない場合（ステップ６１１の判断がＮｏの場合）、又は消失した全てのタグについて、受信データテーブル内のデータクリア処理が完了した場合（ステップ６１３の判断がＮｏの場合）には、図１１のフローへ進み、読み取りデータ取得手段４２１は、出現及び消失のタグ情報に含まれるタグＩＤを抽出し（ステップ６１４）、該抽出したタグＩＤを順次参照して、生体情報送信装置１０５のタグＩＤかどうかを判断する（ステップ６１５）。
【００８２】
読み取りデータ取得手段４２１は、参照中のタグＩＤが生体情報送信装置１０５のものである場合（ステップ６１５の判断がＹｅｓの場合）、該タグＩＤが出現情報（出現のタグ情報に含まれるタグＩＤ）か消失情報（消失のタグ情報に含まれるタグＩＤ）かを判断する（ステップ６１６）。
【００８３】
そして、参照中のタグＩＤが消失情報（消失のタグ情報に含まれるタグＩＤ）であると判断した場合、使用者チェックテーブル（図７）において、参照中のタグＩＤに対応する作業者１０３に関するＦｌａｇの全てをＯＦＦに設定し（ステップ６１７）、該作業者１０３が保持している生体情報送信装置１０５に対し、指紋リーダ２０３のＯＦＦ信号を無線ＬＡＮを介して送信する（ステップ６１８）。
【００８４】
一方、読み取りデータ取得手段４２１は、参照中のタグＩＤが出現情報であると判断した場合、使用者チェックテーブル（図７）において、参照中のタグＩＤに対応する作業者１０３の存在ＦｌａｇがＯＦＦとなっているかどうかを判断する（ステップ６１９）。
【００８５】
そして、かかる存在ＦｌａｇがＯＦＦの場合、読み取りデータ取得手段４２１は、該存在ＦｌａｇをＯＮに切り替え（ステップ６２０）、指紋リーダ遠隔制御手段４２３は、参照中のタグＩＤに対応する生体情報送信装置１０５に対し、指紋リーダ２０３のＯＮ信号を無線ＬＡＮを介して送信する（ステップ６２１）。
【００８６】
読み取りデータ取得手段４２１は、ステップ６１５の判断がＮｏの場合、ステップ６１８の処理が完了した場合、ステップ６１９の判断がＮｏの場合、又はステップ６２１の処理が完了した場合には、ステップ６１４で抽出した全てのタグＩＤに関してステップ６１５以降の処理が完了したかどうか判断し（ステップ６２２）、未参照のタグＩＤがあれば、残りのタグＩＤについてステップ６１５以降の処理を実行する。
【００８７】
ステップ６１４で抽出した全てのタグＩＤに関してステップ６１５以降の処理が完了した場合（ステップ６２２の判断がＹｅｓの場合）、物品使用者判別装置１１５の物品使用者判別手段４２５は、受信データテーブル（図８）内に指紋データが存在するかどうかを判断する（ステップ６２３）。
【００８８】
受信データテーブル内に指紋データが存在する場合、物品使用者判別手段４２５は、受信データテーブルに格納済みの指紋データに対応するタグＩＤを順次参照し、タグＩＤに対応する登録使用者を特定する（ステップ６２４）。例えば、受信データテーブル中に格納済みの指紋データに対応するタグＩＤが"００１"とすると、タグ情報テーブル（図５）を参照することで、該タグＩＤに対応する登録使用者の識別情報（ＡＡＡ）が特定される。
【００８９】
そして、物品使用者判別手段４２５は、参照中のタグＩＤに対応する指紋データ（受信データテーブル内の指紋データ）と、指紋情報テーブルに登録されているステップ６２４で特定した登録使用者の指紋データとが一致するかどうかを判断する（ステップ６２５）。なお、指紋データの照合処理は、周知の方法を用いて行えばよく、指紋データ同士が完全に一致していなくても、閾値以上の照合スコアが得られれば、両指紋データが一致したものと判断してもよい。
【００９０】
指紋データの照合処理の結果、両指紋データが一致しなかった場合、物品使用者判別手段４２５は、ステップ６２４で参照したタグＩＤに対応する物品が登録使用者ではない者によって着用されていることを示す警告メッセージを出力し、モニタ１１７に表示させる（ステップ６２６）。
【００９１】
一方、指紋データの照合処理の結果、両指紋データが一致した場合、物品使用者判別手段４２５は、参照中のタグＩＤが保護帽１０９に取り付けられた照合情報送信装置１１１ｂのタグＩＤか、或いは作業着１０７に取り付けられた照合情報送信装置１１１ａのタグＩＤかを判断する（ステップ６２７）。
【００９２】
そして、参照中のタグＩＤが保護帽１０９に取り付けられた照合情報送信装置１１１ｂのタグＩＤである場合、物品使用者判別手段４２５は、使用者チェックテーブル（図７）において、ステップ６２４で特定した登録使用者に対応する保護帽ＦｌａｇをＯＮにする（ステップ６２８）。
【００９３】
一方、ステップ６２４で参照したタグＩＤが作業着１０７に取り付けられた照合情報送信装置１１１ａのタグＩＤである場合、物品使用者判別手段４２５は、使用者チェックテーブルにおいて、ステップ６２４で特定した登録使用者に対応する作業着ＦｌａｇをＯＮにする（ステップ６２９）。
【００９４】
そして、物品使用者判別手段４２５は、ステップ６２６、ステップ６２８、又はステップ６２９の後、受信データテーブル（図８）に格納済みの指紋データに対応する各タグＩＤについて、ステップ６２４以降の処理が完了したかどうかを判断し（ステップ６３０）、未完了のタグＩＤがあれば、残りのタグＩＤについて上記の処理を繰り返す。
【００９５】
続いて、物品使用者判別手段４２５は、使用者チェックテーブル（図７）内で、ＦｌａｇがすべてＯＮになっている作業者がいるかどうかを判断し（ステップ６３１）、ＦｌａｇがすべてＯＮになっている作業者がいる場合には、該作業者が自分の物品（自らが登録使用者として設定されている物品）を正しく着用していることを示す認証メッセージを出力し、モニタ１１７に表示する（ステップ６３２）。
【００９６】
そして、物品使用者判別装置１１５の制御部４０３は、ステップ６２３の判断がＮｏの場合、ステップ６３１の判断がＮｏの場合、又はステップ６３２のメッセージ表示処理が完了した場合には、再び図９のフローチャートの先頭に戻り、ステップ６０１から処理を繰り返す。
【００９７】
次に、図１３を参照して、生体情報送信装置１０５によって実行される処理について説明する。
【００９８】
生体情報送信装置１０５は、受信した情報に応じて異なる処理を実行する（ステップ１３０１）。
【００９９】
生体情報送信装置１０５が読み取りゲート１１３から情報送信要求を受信した場合、例えば電磁誘導の作用によりＲＦＩＤタグ２０１に電力が生じ、ＲＦ通信制御部２２３は、該要求に応じて、タグＩＤ記憶部２２１からタグＩＤを読み出し、アンテナ２１１を介して送信する（ステップ１３０２）。
【０１００】
また、生体情報送信装置１０５が物品使用者判別装置１１５から無線ＬＡＮを介して指紋リーダ２０３のＯＮ信号を受信した場合、生体情報送信装置１０５の指紋リーダ制御部２０９は、かかるＯＮ信号に応じて指紋リーダ２０３へ電池からの電力供給を開始して、指紋リーダ２０３を有効にする（ステップ１３０３）。
【０１０１】
そして、自装置（生体情報送信手段１０５）を保持している作業者１０３が手の指の腹を指紋リーダ２０３のセンサ部に接触させることにより、指紋リーダ２０３が指紋データを読み取ると、指紋リーダ制御部２０９は、該指紋データを取得し、該指紋データを人体通信装置２０５に渡す（ステップ１３０４，１３０５）。
【０１０２】
指紋リーダ制御部２０９から指紋データを取得した人体通信装置２０５は、該指紋データを、自装置（生体情報送信装置２０５）を身に付けている作業者１０３の人体を介して照合情報送信装置１１１ａ，１１１ｂへ送信する（ステップ１３０６）。
【０１０３】
また、生体情報送信装置１０５が物品使用者判別装置１１５から無線ＬＡＮを介して指紋リーダ２０３のＯＦＦ信号を受信した場合、指紋リーダ２０３への電池からの電力供給を停止し、指紋リーダ２０３を無効化する（ステップ１３０７）。
【０１０４】
次に、図１４を参照して、照合情報送信装置１１１ａによって実行される処理について説明する。なお、照合情報送信装置１１１ａは、人体通信装置３０１が備える電源を共用しているものとする。
【０１０５】
照合情報送信装置１１１ａは、受信した情報に応じて異なる処理を実行する（ステップ１４０１）。
【０１０６】
照合情報送信装置１１１ａが読み取りゲート１１３から情報送信要求を受信した場合、照合情報送信手段３３３は、指紋データが受信済みかどうかを判断する（ステップ１４０２）。
【０１０７】
そして、既に指紋データ記憶領域３２３に指紋データが格納されている場合（ステップ１４０２の判断がＹｅｓの場合）、照合情報送信手段３３３は、タグＩＤ記憶領域３２１及び指紋データ記憶領域３２３からタグＩＤ及び指紋データをそれぞれ読み出し、照合情報としてアンテナ３１１及び読み取りゲート１１３を介して物品使用者判別装置１１５へ照合可能に送信する（ステップ１４０３）。
【０１０８】
一方、指紋データが指紋データ記憶領域３２３に格納されてない場合（ステップ１４０２の判断がＮｏの場合）、照合情報送信手段３３３は、タグＩＤ記憶領域３２１から読み出したタグＩＤのみを照合情報として送信する（ステップ１４０４）。
【０１０９】
また、照合情報送信装置１１１ａ（詳細には人体通信装置３０１）が生体情報送信装置１０５から指紋データを受信した場合、指紋データ取得手段３３１は、該指紋データを人体通信装置３０１から取得し、指紋データ記憶領域３２３に格納する（ステップ１４０５）。
【０１１０】
或いは、照合情報送信装置１１１ａが読み取りゲート１１３から指紋データの消去要求を受信した場合、指紋データ消去手段３３５は、指紋データ記憶領域３２３に格納されている指紋データを消去する（ステップ１４０６）。
【０１１１】
次に、物品が登録使用者によって使用されている場合と、物品が登録使用者以外の者によって使用されている場合のそれぞれについて、生体情報送信装置１０５、照合情報送信装置１１１ａ，１１１ｂ，物品使用者判別装置１１５による処理について説明する。
［物品が登録使用者によって使用されている場合］
例えば、一人の作業者１０３（識別情報が「ＡＡＡ」であるものとし、以下「Ａさん」と称する。）が、自らが登録使用者として設定されている作業着１０７及び保護帽１０９を着用した状態で読み取りゲート１１３に進入した場合を想定する。
【０１１２】
この場合、物品使用者判別装置１１５は、読み取りゲート１１３を介して、Ａさんが保持している生体情報送信装置１０５、並びに作業着１０７及び保護帽１０９にそれぞれ取り付けられている照合情報送信装置１１１ａ，１１１ｂからタグ情報（出現のタグ情報）を取得する（図９のステップ６０１及び６０２の判断が共にＹｅｓ）。
【０１１３】
具体的には、このタイミングでは、生体情報送信装置１０５の指紋リーダ２０３が有効になっておらず、照合情報送信装置１１１ａ，１１１ｂにまだ指紋データが記憶されていないため、物品使用者判別装置１１５の読み取りデータ取得手段４２１は、読み取りゲート１１３を介して、生体情報送信装置１０５及び照合情報送信装置１１１ａ，１１１ｂから、タグ情報としてタグＩＤ（００１、１０１、２０１）のみ取得することになる。また、このタイミングでは、受信データテーブル（図８）には、Ａさんに関するデータが格納されていないため（ステップ６０４の判断がＮｏ）、物品使用者判別装置１１５の読み取りデータ取得手段４２１は、ステップ６０４〜６１０の処理を繰り返し、各タグ情報、すなわちタグＩＤ（００１、１０１、２０１）を受信データテーブルに新たに格納する（ステップ６０５）。
【０１１４】
そして、この例では消失のタグ情報は無いことからステップ６１４へ進み、物品使用者判別装置１１５の読み取りデータ取得手段４２１は、ステップ６１５において、生体情報送信装置１０５のタグ情報を参照した場合に、使用者チェックテーブル（図７）内のＡさんに対応する存在ＦｌａｇをＯＮに設定する（ステップ６２０）。
【０１１５】
また、指紋リーダ遠隔制御手段４２３が指紋リーダ２０３のＯＮ信号を無線ＬＡＮを介して送信することによって、Ａさんが保持する生体情報送信装置１０５が備える指紋リーダ２０３が有効になる（図１３のステップ１３０３）。このタイミングで、Ａさんが手の指の指紋を指紋リーダ２０３のセンサ部に接触させることで指紋データが読み取られ、人体通信装置２０５は、Ａさんの人体を介して、Ａさんが着用している作業着１０７及び保護帽１０９に取り付けられている照合情報送信装置１１１ａ，１１１ｂへ該指紋データを送信する（ステップ１３０５，１３０６）。一方、照合情報送信装置１１１ａ，１１１ｂは、受信した指紋データを指紋データ記憶領域３２３に格納する（図１４のステップ１４０５）。
【０１１６】
次に、物品使用者判別装置１１５では、ステップ６２３の実行時点において、まだ照合情報送信装置１１１ａ，１１１ｂから指紋データを含む照合情報を受信していない場合、受信データテーブル（図８）内に指紋データが存在しないため（図１２のステップ６２３の判断がＮｏ）、図９の先頭から再度処理が繰り返される。
【０１１７】
これにより、物品使用者判別装置１１５は、読み取りゲート１１３を介して、Ａさんが保持する生体情報送信装置１０５、並びにＡさんが着用している作業着１０７及び保護帽１０９に取り付けられている照合情報送信装置１１１ａ，１１１ｂから再びタグ情報（出現のタグ情報）を取得する（図９のステップ６０１及び６０２の判断が共にＹｅｓ）。このタイミングでは、物品使用者判別装置１１５は、照合情報送信装置１１１ａ，１１１ｂから、タグ情報としてタグＩＤ及び指紋データのセット（照合情報）を受信することになる（図９のステップ６０６の判断がＹｅｓ）。
【０１１８】
そして、物品使用者判別装置１１５の読み取りデータ取得手段４２１は、各タグ情報についてステップ６０４〜６１０の処理を繰り返すことによって、受信データテーブル（図８）において、照合情報送信装置１１１ａ，１１１ｂに関する各タグＩＤに対応付けて、指紋データをそれぞれ格納する（ステップ６０８）。
【０１１９】
なお、Ａさんに関して照合情報送信装置１１１ａ，１１１ｂから受信した指紋データが受信データテーブルに格納されると、物品使用者判別装置１１５の指紋データ消去要求手段４２７は、指紋データの送信元である照合情報送信装置１１１ａ（又は１１１ｂ）に対し、指紋データの消去要求を送信する（ステップ６０９）。これにより、照合情報送信装置１１１ａ（又は１１１ｂ）では、指紋データ格納領域３２３から指紋データが消去される（図１４のステップ１４０６）。
【０１２０】
そして、図１２のフローチャートへ進み、物品使用者判別装置１１５の物品使用者判別手段４２５は、受信データテーブル内に格納済みの指紋データに対応するタグＩＤ、すなわちＡさんが着用している作業着１０７及び保護帽１０９にそれぞれ取り付けられている照合情報送信装置１１１ａ，１１１ｂのタグＩＤ（００１、１０１）を取得し、該取得したタグＩＤに対応付けて受信データテーブルに格納された指紋データについて、照合処理を行う。
【０１２１】
具体的には、まず取得したタグＩＤ（００１）をタグ情報テーブル（図５）に照合することで、該タグＩＤに対応する登録使用者の識別情報がＡＡＡであることを特定する（ステップ６２４）。また、受信データテーブル（図８）中で該タグＩＤ（００１）に対応付けて格納されているＡさんの指紋データ（データ１）と、指紋情報テーブル（図６）中でＡさんの識別情報（ＡＡＡ）に対応付けて格納されているＡさんの指紋データ（データ１）とを照合すると、両指紋データは一致することになる（ステップ６２５の判断がＹｅｓ）。
【０１２２】
そして、物品使用者判別装置１１５の物品使用者判別手段４２５は、使用者チェックテーブルにおいて、Ａさんに関するＦｌａｇのうち、タグＩＤ（００１）に対応する物品（保護帽１０９）のＦｌａｇをＯＮに切り替える。なお、タグＩＤ（１０１）についても同様に処理され、使用者チェックテーブルにおいて、Ａさんに関するＦｌａｇのうち、タグＩＤ（１０１）に対応する物品（作業着１０７）のＦｌａｇをＯＮに切り替える。
【０１２３】
これにより、使用者チェックテーブルにおいて、Ａさんに関するＦｌａｇ（保護帽Ｆｌａｇ、作業着Ｆｌａｇ、存在Ｆｌａｇ）がすべてＯＮに設定される。この場合、物品使用者判別装置１１５の判別結果出力手段４２９は、例えば「Ａさんは、認証に成功しました。ゲートを通過してください。」などのように、認証に成功したことを示すメッセージをモニタ１１７に表示させる。
［物品が登録使用者以外の者によって使用されている場合］
上記の例とは逆に、例えば、一人の作業者１０３（識別情報が「ＢＢＢ」であるものとし、以下「Ｂさん」と称する。）が、他人であるＡさんが登録使用者として設定されている作業着１０７及び保護帽１０９を着用した状態で読み取りゲート１１３に進入した場合を想定する。
【０１２４】
この場合、Ｂさんが着用している作業着１０７及び保護帽１０９（Ａさんが登録使用者として設定されている作業着１０７及び保護帽１０９）にそれぞれ取り付けられている照合情報送信装置１１１ａ，１１１ｂには、Ｂさんが保持している生体情報送信装置１０５からＢさんの人体を介して受信した、Ｂさんの指紋データが格納されることになる（図１４のステップ１４０５）。
【０１２５】
また、物品使用者判別装置１１５の読み取りデータ取得手段４２１は、図９のステップ６０４〜６１０を繰り返すことで、受信データテーブル（図８）中に、Ａさんが登録使用者として設定されている作業着１０７及び保護帽１０９にそれぞれ取り付けられている照合情報送信装置１１１ａ，１１１ｂのタグＩＤ（００１，１０１）に対応付けて、Ｂさんの指紋データを格納する（図９のステップ６０８）。
【０１２６】
そして、物品使用者判別装置１１５の物品使用者判別手段４２５は、指紋データの照合処理において、参照したタグＩＤ（例えば、００１）をタグ情報テーブル（図５）に照合することで、該タグＩＤに対応する登録使用者の識別情報がＡＡＡであることを特定する（ステップ６２４）。また、受信データテーブル中で該タグＩＤ（００１）に対応付けて格納されているＢさんの指紋データと、指紋情報テーブル（図６）中でＡさんの識別情報（ＡＡＡ）に対応付けて格納されているＡさんの指紋データ（データ１）とを照合すると、両指紋データは一致しない（照合スコアが閾値を越えない）ことになる（ステップ６２５の判断がＮｏ）。
【０１２７】
これにより、Ａさんが登録使用者として設定されている物品を他人が間違って着用していることが判別され、物品使用者判別装置１１５の判別結果出力手段４２９は、例えば「Ａさんの保護帽を間違えて着用しています。」などのように、認証に失敗したことを示すメッセージをモニタ１１７に表示させる。
【０１２８】
以上のように、第１実施形態の物品使用者判別システム１０１によれば、生体情報送信装置１０５で取得した作業者１０３の指紋データを、作業者本人の人体を介して、照合情報送信装置１１１ａ，１１１ｂへ送信するように構成されているので、照合情報送信装置１１１ａ，１１１ｂが取り付けられた物品と、該物品を着用している者（詳細には、その者の指紋データ）との組み合わせを正確に捉えることができ、かかる物品が正しい使用者によって使用されているかどうかを判別することができる。また、物品と該物品の使用者との組み合わせが特定されるので、複数の作業者１０３が同時に読み取りエリア内に存在していても、正確に物品使用者判別処理を実行することができる。
【０１２９】
以上、本発明の第１実施形態を説明したが、本発明は、上記実施形態に限定されることなく種々に変形して適用することが可能である。
［変形例］
第１実施形態とは異なり、作業者１０３が着用する物品（作業着１０７や保護帽１０９など）について、使用期限を設定してもよい。例えば、図１５に示す例では、登録日を基準にして、有効期間が経過する時点が使用期限となる。
【０１３０】
この例では、第１実施形態における図１２のフローチャートのステップ６３２に代えて、使用者チェックテーブル（図７）において、Ｆｌａｇが全てＯＮになっている作業者について、着用中の物品の使用期限が過ぎていないかどうかを判別し、物品使用者判別処理の結果とともに、物品ごとの使用期限の判別結果を認証メッセージとして出力するのがよい。
【０１３１】
具体的には、図１６に示すように、物品使用者判別装置１１５の物品使用者判別手段４２５は、使用者チェックテーブル（図７）において、Ｆｌａｇが全てＯＮになっている作業者１０３に関するデータを順次参照し、該作業者１０３に対応する作業着１０７と保護帽１０９のタグＩＤを取得する（ステップ２００１）。例えば、作業者の識別情報を使用者チェックテーブルから取得し、該識別情報に対応づけられたタグ情報テーブル（図１５）内の作業着１０７と保護帽１０９のタグＩＤをそれぞれ取得する。
【０１３２】
次に、物品使用者判別手段４２５は、タグ情報テーブル（図１５）から、ステップ２００１で取得した各タグＩＤに対応する物品（作業着１０７と保護帽１０９）の有効期間と登録日をそれぞれ取得し（ステップ２００２）、物品ごとに使用期限が過ぎていないかどうか（タグ情報取得日−登録日＜有効期間 かどうか）を判断する（ステップ２００３）。
【０１３３】
作業着１０７と保護帽１０９の少なくとも一方の使用期限が過ぎている場合、物品使用者判別手段４２５は、物品使用者判別処理に関する認証メッセージとともに、物品使用期限に関する警告メッセージを出力し、モニタ１１７に表示する（ステップ２００４）。例えば、タグ情報テーブル（図１５）において、識別情報がＡＡＡである登録使用者の作業着１０７に着目すると、タグ情報取得日が２００９年９月２５日とすると、登録日が２００６年９月１日であり、既に３年が経過していることになる。この場合、識別情報がＡＡＡである作業者を仮に"Ａさん"とすると、"Ａさんは、認証に成功しました。ゲートを通過してください。ただし、作業着の使用期限が経過しているので、至急新しい作業着に交換してください。"というメッセージなどを表示することが考えられる。
【０１３４】
一方、作業着１０７と保護帽１０９の使用期限がいずれも経過していない場合、物品使用者判別手段４２５は、物品使用者判別処理に関する認証メッセージとともに、物品使用期限に関する合格メッセージを出力し、モニタ１１７に表示する（ステップ２００５）。例えば、"Ａさんは、認証に成功しました。ゲートを通過してください。また、作業着及び保護帽の使用期限も経過していません。"というメッセージなどを表示することが考えられる。
【０１３５】
そして、物品使用者判別手段４２５は、他にも使用者チェックテーブル（図７）内にＦｌａｇが全てＯＮになっている作業者が存在するかどうかを判断し（ステップ２００６）、存在する場合は残りの作業者についてステップ２００１〜２００６の処理を繰り返す。
【０１３６】
また、別の実施形態として、第１実施形態の生体情報送信装置１０５の構成を、図１７に示す生体情報送信装置１０５ａのように変更してもよい。なお、生体情報送信装置１０５ａにおいて、第１実施形態の生体情報送信装置１０５と同じハードウェア及び機能手段については、同じ符号を付してある。
【０１３７】
生体情報送信装置１０５ａは、作業者１０３の生体情報として、指紋データではなく、声紋データを取得し、照合情報送信装置１１１ａ，１１１ｂへ送信する。かかる機能を実現するために、指紋リーダ２０３に代えて、作業者１０３の声に基いて声紋データを取得するマイク２０３ａを備える。また、指紋リーダ制御部２０９に代えて、マイク制御部２０９ａを備える。なお、生体情報送信装置１０５ａは、生体情報送信装置１０５と比較して、取り扱うデータの種類を指紋データから声紋データに変更しただけであり、実行する処理は指紋データを扱う場合と同様である。この点は、照合情報送信装置１１１ａ，１１１ｂ及び物品使用者判別装置１１５においても同様である。
【０１３８】
また、上記の各実施形態では、生体情報送信装置１０５，１０５ａと照合情報送信装置１１１ａ，１１１ｂは、人体通信装置２０５，３０１を用いて生体情報を送受信しているが、無線ＬＡＮ、Ｂｌｕｅｔｏｏｔｈ、又は赤外線通信等の技術を用いて生体情報を送受信するように構成してもよい。これらの通信方法を採用する場合、送信先の識別情報（ＩＰアドレスやタグＩＤなど）を用いて当該送信先を特定するのがよい。
【０１３９】
さらに、照合情報送信装置１１１ａ，１１１ｂの少なくとも一つにおいて、生体情報送信装置１０５（又は１０５ａ）の機能を持たせるようにしてもよい。例えば、照合情報送信装置１１１ａに指紋リーダ２０３やマイク２０３ａなどの生体情報読み取り装置と送信用の人体通信装置とを設け、照合情報送信装置１１１ａが取り付けられた作業着１０７を着用している作業者１０３の生体情報を読み取り、該作業者が着用している保護帽１０９に取り付けられている照合情報送信装置１１１ｂへ送信するように構成してもよい。
【０１４０】
また、第１実施形態では、物品使用者判別装置１１５の指紋データ消去要求手段４２７は、照合情報送信装置１１１ａ，１１１ｂに対し、指紋データの消去要求を読み取りゲート１１３を介して送信しているが、照合情報送信装置１１１ａ，１１１ｂに無線ＬＡＮ通信用の装置を設け、無線ＬＡＮを介して、指紋データの消去要求を送信するようにしてもよい。
【符号の説明】
【０１４１】
１０１…物品使用者判別システム、１０３…作業者、１０５…生体情報送信装置、１０７…作業着、１０９…保護帽、１１１ａ，１１１ｂ…照合情報送信装置、１１３…読み取りゲート、１１５…物品使用者判別装置
【図１】
2011086027.tif 000003
【図２】
2011086027.tif 000004
【図３】
2011086027.tif 000005
【図４】
2011086027.tif 000006
【図５】
2011086027.tif 000007
【図６】
2011086027.tif 000008
【図７】
2011086027.tif 000009
【図８】
2011086027.tif 000010
【図９】
2011086027.tif 000011
【図１０】
2011086027.tif 000012
【図１１】
2011086027.tif 000013
【図１２】
2011086027.tif 000014
【図１３】
2011086027.tif 000015
【図１４】
2011086027.tif 000016
【図１５】
2011086027.tif 000017
【図１６】
2011086027.tif 000018
【図１７】
2011086027.tif 000019